(57)【要約】【課題】光学部品の光路長方向への位置調整を高精度に、かつ能率よく行うことができる光学ピックアップ装置及びその組立方法を提供すること。【解決手段】ハウジング１０と、このハウジング１０に取付けられるレーザ光を照射可能及び／又は検出可能な光学部品と、ハウジング１０の光学部品取付位置に設けられ、光学部品を直接にハウジング１０に取付け可能とする取付手段とを備える。取付手段は、光学部品のハウジング１０への取付時及び光学部品の光路長方向位（Ｚ方向）への位置調整時に、光学部品のレーザ光照射側及び／又はレーザ光受光側の端部素子を保護する弾性緩衝体１４を備える。【選択図】    図５
2004206801.tif 000002
【特許請求の範囲】
【請求項１】
ハウジングと、このハウジングに取付けられるレーザ光を照射可能及び／又は検出可能な光学部品と、ハウジングの光学部品取付位置に設けられ、前記光学部品を直接にハウジングに取付け可能とする取付手段とを備え、前記取付手段は、前記光学部品のハウジングへの取付時及び光学部品の光路長方向位への位置調整時に、光学部品のレーザ光照射側及び／又はレーザ光受光側の端部素子を保護する弾性緩衝体を備えてなることを特徴とする光学ピックアップ装置。
【請求項２】
ハウジングは、光学部品を水平な光路長方向に挿入して取付けるための凹部を有し、
弾性緩衝体は、前記凹部の奥部壁面に沿って配置されてなる請求項１に記載の光学ピックアップ装置。
【請求項３】
取付手段が、光学部品の上下方向の移動を規制することにより光学部品を仮保持する仮保持部を凹部に有する請求項１又は２に記載の光学ピックアップ装置。
【請求項４】
仮保持部は、凹部の内面に形成され、凹部に挿入された光学部品を上下から挟持する構造である請求項３に記載の光学ピックアップ装置。
【請求項５】
仮保持部が、上下から挟持した光学部品を固定するための接着剤の塗布箇所を兼ねる請求項４に記載の光学ピックアップ装置。
【請求項６】
取付手段が、弾性緩衝体を固定するための接着剤の塗布用突部を凹部に有する請求項１〜５のいずれか１つに記載の光学ピックアップ装置。
【請求項７】
光学部品がホログラムレーザユニットである請求項１〜６の何れか１つに記載の光学ピックアップ装置。
【請求項８】
請求項４に記載の光学ピックアップ装置を組立てる光学ピックアップ装置の組立方法であって、
（１）光学部品を凹部に挿入して仮保持部にて仮保持する工程と、
（２）光学部品を弾性緩衝体に突き当てつつ光路長方向へ微動させて位置調整を行う工程と、
（３）仮保持部と光学部品との当接部位に接着剤を塗布して、光学部品をハウジングに固定する工程とを含むことを特徴とする光学ピックアップ
装置の組立方法。
【発明の詳細な説明】
【０００１】
【発明の属する技術分野】
本発明は、光学ピックアップ装置及びその組立方法に関し、さらに詳しくは、ＣＤやＤＶＤ等の光ディスク媒体に対して光学的に情報を再生、記録及び消去の何れかを行い得る光学ピックアップ装置及びその組立方法に関するものである。
【０００２】
【従来の技術】
ＣＤやＤＶＤ等にみられるような光ディスク媒体は、多量の情報を高密度で記録・再生可能であるため、ＡＶ機器、コンピュータ等その利用範囲は非常に多岐にわたる。特に最近は、高密度光ディスク媒体への記録技術の確立、及び実用化・普及が要求されている。その中でもこれら光ディスク媒体の記録・再生に用いられる光学ピックアップ装置の高性能化が進められている。
【０００３】
図６は、２点鎖線で示したホログラムレーザユニット（以下、レーザユニットと称する場合がある）１１とハウジング１０との間に、レーザユニット１１を保持するレーザホルダ１７を設けた従来の光学ピックアップ装置を示している（例えば、特許文献１参照）。この従来の光学ピックアップ装置の組立ては、レーザユニット１１をレーザホルダ１７に挿入し、レーザ押さえバネ１５によってレーザユニット１１をハウジング１０側に押さえ、レーザ押さえバネ１５の両端に形成された孔部１８にビス１９をそれぞれ挿入し、この各ビス１９をハウジング１０に形成されたネジ孔２０に螺合させる。光学ピックアップ装置の動作回路が形成されている基板パターン樹脂(以下、ＦＰＣと称する場合がある)２１には複数個の孔が設けられており、各孔周辺には導通ランドが存在する。このＦＰＣ２１の各孔にレーザユニット１１の末端の複数の端子１１ｄを挿入し、各導通ランドと各端子１１ｄとをハンダ付けする。その後、光ディスク媒体の情報を正確に読み込むことができるように、レーザユニット１１及びレーザホルダ１７の位置が調整され、レーザユニット１１とレーザホルダ１７は接着個所２２において、またハウジング１０とレーザホルダ１７は接着個所２３において接着剤によりそれぞれ固定される。なお、図６において、１１ｂはレーザユニット１１先端の回折素子である。また、矢印Ｘは左右方向を表し、黒丸Ｙは上下方向を表し、矢印Ｚは光路長方向を表している。
【０００４】
【特許文献１】
特開２０００−２１０１３号公報
【０００５】
【発明が解決しようとする課題】
高密度光ディスク媒体への記録が要求されている昨今では、特にレーザユニット１１から出射された拡散光を平行光に変換する役目を担うコリメートレンズ２４とレーザユニット１１との相互間隔を高精度に保ってピックアップ精度を向上させることが必要不可欠であるが、図６に示す従来の光学ピックアップ装置の構造では不十分であった。つまり、光学ピックアップ装置の組立て時において、ハウジング１０と同程度の高強度を有した部材で形成されているレーザホルダ１７内にレーザユニット１１を装着させ、光路長方向（Ｚ方向）へ位置調整する際に、誤ってレーザユニット１１先端の回折素子１１ｂがレーザホルダ１７の壁部に接触し破損する場合があり、レーザユニット１１の取付け及び光路長方向の位置調整が困難であった。また、組立て時には、レーザユニット１１をレーザホルダ１７に（Ｘ、Ｙ、Ｚ方向に）位置調整する作業と、レーザホルダ１７をハウジング１０に（Ｘ、Ｙ、Ｚ方向に）位置調整する作業とが個別に行われ、組立て作業の能率低下を招いていた。
【０００６】
そこで、本発明の主要なもう一つの目的は、組立て時の光学部品の破損を防止して、不良率、コスト低減を図り得ると共に、光学部品の光路長方向への位置調整を高精度に、かつ能率よく行うことができる光学ピックアップ装置及びその組立方法を提供することを目的とする。
【０００７】
【課題を解決するための手段】
かくして、本発明によれば、ハウジングと、このハウジングに取付けられるレーザ光を照射可能及び／又は検出可能な光学部品と、ハウジングの光学部品取付位置に設けられ、前記光学部品を直接にハウジングに取付け可能とする取付手段とを備え、
前記取付手段は、前記光学部品のハウジングへの取付時及び光学部品の光路長方向位への位置調整時に、光学部品のレーザ光照射側及び／又はレーザ光受光側の端部素子を保護する弾性緩衝体を備えてなる光学ピックアップ装置が提供される。
【０００８】
本発明の光ピックアップ装置が対象とする情報記録媒体としては、例えばＬＤ、ＣＤ、ＣＤ―ＲＯＭ、ＤＶＤ−ＲＯＭ、ＣＤ−Ｒ、ＤＶＤ−Ｒ、ＣＤ−ＲＷ、ＤＶＤ−ＲＷ、ＤＶＤ+Ｒ、ＤＶＤ+ＲＷ、ＤＶＤ−ＲＡＭ等の光ディスクや、ＭＯ、ＭＤ等の光磁気ディスクを挙げることができ、特に、光学部品の高い取付精度を要求する書き込み可能なＤＶＤ−Ｒ、ＤＶＤ−ＲＷ、ＤＶＤ+Ｒ、ＤＶＤ+ＲＷ、ＤＶＤ−ＲＡＭ等に対して本発明の光ピックアップ装置を好適に使用することができる。
【０００９】
本発明において、ハウジングに取付けられるレーザ光を照射可能及び／又は検出可能な光学部品としては、ホログラムレーザユニット、半導体レーザ、受光素子等を挙げることができ、特に、コリメートレンズとの距離調整（光路長方向の位置調整）に最も高い精度が要求されるホログラムレーザユニットが好適である。
以下、単に光学部品と称するときは、ホログラムレーザユニット、半導体レーザ、受光素子等のレーザ光を照射可能及び／又は検出可能な光学部品を意味するものとする。
【００１０】
本発明によれば、ホログラムレーザユニット、半導体レーザ、受光素子等の光学部品をハウジングに取付けるに際して、弾性緩衝体を取付位置に設けたことにより光学部品のレーザ光照射側及び／又はレーザ光受光側の端部素子が弾性緩衝体にて保護され、ある程度の強度を有する金属やプラスチックからなるハウジングの壁部に端部素子が接触して破損することが防止される。このように、光学部品が弾性緩衝体により保護されて破損率が大幅に減少することと、従来必要であったレーザホルダ（図６参照）が不要であり、加工しづらいレーザホルダの製作工程及び部品点数を削減できること、従来行われていたレーザホルダのハウジングへの取付け及び位置調整が省略されることにより、製造コストが大幅に低減すると共に、組立ての作業能率が向上する。
また、弾性緩衝体によって光路長方向への調整空間が確保されており、光学部品を光路長方向へ位置調整する際に弾性緩衝体の弾性変形によって光学部品の光路長方向への移動（微動）が可能であり高精度にかつ容易に位置調整を行うことができる。したがって、コリメートレンズへ照射されるレーザ光（拡散光）の精度及び／又はコリメートレンズからのレーザ光（集束光）の精度が向上し、高密度光デバイス媒体へのより確実な記録・再生が可能となる。
【００１１】
本発明において、弾性緩衝体の材質としては、海綿又は合成樹脂やゴム等からなるスポンジ等が用いられる。なお、この弾性緩衝体には、光学部品のレーザ光出射部及び／又は受光部に対向する位置に、レーザ光を通過させるためのレーザ光通過窓が形成される。また、この弾性緩衝体を光学部品の端部素子を覆う形状に形成することにより、防塵機能及び遮光機能を付加することができる。なお、遮光性をより高めるために、弾性緩衝体は黒色にすることが好ましい。
【００１２】
本発明において、ハウジングは、光学部品を水平な光路長方向に挿入して取付けるための凹部を有し、この凹部の奥部壁面に沿って上記弾性緩衝体を配置した構造とすれば、この凹部が光学部品全体を保護するように収納できる収納スペースとなり、この凹部に光学部品を挿入する際に端部素子が奥部壁面に接触しないよう弾性緩衝体にて保護することができる。
また、取付手段の一構成要素として、弾性緩衝体を固定するための接着剤の塗布用突部を凹部に設けてもよく、それによって弾性緩衝体を適正な上下高さ位置に容易に取付けることができる。
【００１３】
本発明において、仮保持部は、凹部の内面に形成され、凹部に挿入された光学部品を上下から挟持する構造、例えば水平方向に開口した凹部の開口部に向かって、左内側面から内側へ突出する上下１対の突出片、及び右内側面から内側へ突出する上下１対の突出片からなる構造を挙げることができる。これにより、仮保持部を簡素な構造とすることができる。そして、この仮保持部によって凹部に挿入された光学部品が設計光軸に対応する上下高さ位置にかつ平行に仮保持される。ここで、本発明において「仮保持」とは、光学部品を少なくとも光路長方向へ動かせる状態に保持することであると定義する。なお、凹部の幅（左右方向）を光学部品の幅より大きく設定した場合、光学部品は光路長方向と左右方向（すなわち水平面方向）に移動可能に仮保持部にて仮保持され、２方向の位置調整が行われることとなる。さらに、この仮保持部は、上下から挟持した光学部品を固定するための接着剤の塗布箇所を兼ねるものとすることができ、好都合である。
【００１４】
本発明は、別の観点によれば、上述の光学ピックアップ装置を組立てる光学ピックアップ装置の組立方法であって、
（１）光学部品を凹部に挿入して仮保持部にて仮保持する工程と、
（２）光学部品を弾性緩衝体に突き当てつつ光路長方向へ微動させて位置調整を行う工程と、
（３）仮保持部と光学部品との当接部位に接着剤を塗布して、光学部品をハウジングに固定する工程とを含む光学ピックアップ装置の組立方法を提
供できる。
【００１５】
【発明の実施の形態】
以下、本発明の実施の形態を図面に基づいて説明する。なお、本発明は実施の形態に限定されるものではない。
【００１６】
図１は本発明の実施の形態の光学ピックアップ装置の要部平面図であり、図２は同実施の形態におけるハウジングの要部斜視図であり、図３は図１のＡ−Ａ線断面図であり、図４は図１のＢ−Ｂ線断面図であり、図５は同実施の形態における光学ピックアップ装置を分解した各部品を示す平面図である。なお、図１〜図５において、図６で説明した従来の光学ピックアップ装置と同一の要素には同一の符号を付している。
【００１７】
この光学ピックアップ装置は、ハウジング１０と、このハウジング１０に取付けられる各種光学部品とを備える。この各種光学部品としては、レーザ光を照射可能及び検出可能なホログラムレーザユニット１１と、図示省略のダイクロプリズム、コリメートレンズ、立上げミラー、対物レンズ等を備えている。
【００１８】
本発明の光学ピックアップ装置は、ホログラムレーザユニット１１のようなレーザ光を照射可能及び／又は検出可能な光学部品をハウジング１０に取付ける取付構造に特徴を有している。
ここで、本実施の形態で用いられるホログラムレーザユニット１１について簡単に説明すると、このレーザユニット１１は従来から一般に使用されているものであり、矩形ブロック形の本体部１１ａと、本体部１１ａの先端に設けられた本体部１１ａよりも小さい矩形ブロック形の回折素子１１ｂと、本体部１１ａの基端に接合板１１ｃを介して設けられた複数個の端子１１ｄとを備え、大きさとしては例えば、全長Ｌ(Ｚ方向)：１０．６ｍｍ、本体部１１ａの幅Ｗ（Ｘ方向）：６．６ｍｍ、本体部１１ａの厚みＴ（Ｙ方向）：３．０ｍｍである。
以下、ホログラムレーザユニット１１のハウジング１０への取付構造を説明する。
【００１９】
ハウジング１０は、外周端の一部に、ホログラムレーザユニット１１を水平方向に挿入して取付ける光学部品取付用凹部３０を有すると共に、外周端面の凹部３０の両側には、凹部３０にホログラムレーザユニット１１を取付けるためのネジ孔２０、２０を有している。
【００２０】
光学部品取付用凹部３０は、水平方向（Ｚ方向）及び上方に開口する凹溝状であり、その水平方向の開口が、ホログラムレーザユニット１１を挿入するための挿入口３１とされている。また、凹部３０の奥部には光路長方向（Ｚ方向）に溝状の光路３２が形成されており、この光路３２は図示しないダイクロプリズム、コリメートレンズ等を収納する凹所３３と連通している。さらに、凹部３０は、挿入口３１から奥部側へ少し入ったところで幅が僅かに狭くなる段部を左右の内側面に有し、この段部よりも奥部側に、少なくとも光路長方向へのホログラムレーザユニット１１の位置調整のために仮保持可能に、凹部３０の底面３０ａと垂直な上下方向（Ｙ方向）へのホログラムレーザユニット１１の移動を規制する後述の仮保持部１２を有している。
【００２１】
仮保持部１２は、凹部３０の光路長方向(Ｚ方向)の略中間位置において、水平方向に開口した凹部３０の挿入口３１に向かって左内側面３０ｂから内側へ突出する上下１対の突出片１２ａ、１２ｂ及び右内側面３０ｃから内側へ突出する上下１対の突出片１２ｃ、１２ｄからなる。そして、上側の突出片１２ａ、１２ｃの下面と下側の突出片１２ｂ、１２ｄの上面とは相互に水平方向に平行な対向面として形成されている。この場合、上側の突出片１２ａ、１２ｃは、その上面がハウジング１０の上面に面一とされ、下側の突出片１２ｂ、１２ｄは凹部３０の底面３０ａ上に形成されている。
【００２２】
また、上側の突出片１２ａ、１２ｃと下側の突出片１２ｂ、１２ｄとの間隔Ａ1は、ホログラムレーザユニット１１の厚みＴと略等しく設定されると共に、左側の突出片１２ａ、１２ｂと右側の突出片１２ｃ、１２ｄとの間隔Ａ2は、ホログラムレーザユニット１１の幅Ｗよりも小さく設定されている。本実施の形態の場合、間隔Ａ1≒３．０ｍｍ、間隔Ａ2＜６．６ｍｍに設定される。左内側面３０ｂと右内側面３０ｃとの間隔Ａ3は６．６ｍｍより大きく設定されている。また、これら各突出片１２ａ、１２ｂ、１２ｃ、１２ｄは、長さ（Ｘ方向）：２．３ｍｍ、幅（Ｚ方向）：１．８ｍｍ、厚み（Ｙ方向）：０．８ｍｍの角棒形に形成されている。これらの各突出片１２ａ、１２ｂ、１２ｃ、１２ｄは、その間にレーザユニット１１を挿入することにより、レーザユニット１１の光軸を設計光軸に対して平行かつ高さを一致させるように仮保持させるよう、上記間隔Ａ1及び下側の突出片１２ｂ、１２ｄの厚みが設定されている。なお、これら各突出片１２ａ、１２ｂ、１２ｃ、１２ｄは、レーザユニット１１の位置固定のための接着剤塗布箇所としての機能も有しており、これについては後述する。
【００２３】
また、凹部３０は、左内側面３０ｂ・右内側面３０ｃと奥部壁面との間には、奥部へ向かって幅を狭める屈折壁面３０ｄ、３０ｅが設けられており、底面３０ａにおける屈折壁面３０ｄ、３０ｅに接する位置に、後述する弾性緩衝体１４を取付けるための直角二等辺三角形の一対の取付段部１６ａ、１６ｂが設けられている。本実施の形態の場合、各取付段部１６ａ、１６ｂは、斜辺：２．１ｍｍ、他辺：１．５ｍｍ、厚み：０．８ｍｍに設定されている。この取付段部１６ａ、１６ｂは、弾性緩衝体１４を凹部３０に接着するための後述の接着剤塗布箇所として利用され、弾性緩衝体１４を所定の高さ位置に保持するために上記厚みに設定されている。
【００２４】
また、本発明の光学ピックアップ装置は、凹部３０の奥部に取付けられる上記弾性緩衝体１４を備えている。この弾性緩衝体１４は、任意の弾性を有するプラスチック製の黒いスポンジからなり、凹部３０の突起部１２よりも奥部側の空間とほぼ同じ外観形状に形成されており、内部にはホログラムレーザユニット１１の回折素子１１ｂ全体を少し余裕を持って挿入できる大きさの収納凹部１４ａを有すると共に、収納凹部１４ａの基端開口側（突起部１２側）には本体部１１ａの先端側を嵌合させる嵌合凹部１４ｂを有している。また、弾性緩衝体１４の先端面には収納凹部１４ａと連通するレーザ光通過窓（図示省略）が形成されている。この弾性緩衝体１４を凹部３０の奥部に取付ける際は、上記一対の取付段部１６ａ、１６ｂの上面に予め接着剤１３ａを塗布し、弾性緩衝体１４を凹部３０の上方開口部から挿入して上記接着剤１３ａにて下面２箇所を固定する。
【００２５】
次に、このようにハウジング１０に設けられた取付構造にホログラムレーザユニット１１を取付ける手順（組立方法）の一例を説明する。
ハウジング１０は、その凹部３０に予め弾性緩衝体１４が上述のようにして取付けられている。
工程（１）：このハウジング１０の挿入口３１にレーザユニット１１を回折素子１１ｂ側から挿入していき、回折素子１１ｂを弾性緩衝体１４の収納凹部１４ａ内に挿入していく。このとき、レーザユニット１１を凹部３０に突っ込み過ぎたとしても、回折素子１１ｂが直接凹部３０の内面に接触して破損しないよう弾性緩衝体１４がクッションの役目を担っている。また、弾性緩衝体１４内の収納凹部１４ａに回折素子１１ｂが収納されたことにより、防塵効果と遮光効果が得られ、それにより高いピックアップ精度が得られる。一方、本体部１１ａは、その先端部が弾性緩衝体１４の嵌合凹部１４ｂに嵌合し、かつ中間部が上側の突出片１２ａ、１２ｃと下側の突出片１２ｂ、１２ｄとの間に挿入され、上下方向（Ｙ方向）の移動が規制された状態で仮保持（挟持）される。
【００２６】
工程（２）：突起部１２にて仮保持されたレーザユニット１１を、例えば位置調整具を用いて光路長方向（Ｚ方向）及び左右方向（Ｘ方向）に位置調整する。
このとき、弾性緩衝体１４は適度な弾性を有するスポンジからなるので、レーザユニット１１の端部素子である回折素子１１ｂを弾性緩衝体１４に突き当てつつ光路長方向に容易にかつ凹部３０の奥部壁面に接触させることなく微動させることができる。なお、レーザユニット１１の上下方向(Ｙ方向)の位置調整は、突起部１２によるレーザユニット１１の仮保持にて行われている。
【００２７】
工程（３）：上側の突出片１２ａ、１２ｃとレーザユニット１１の本体部１１ａの上面との当接部位、及び下側の突出片１２ｂ、１２ｄとレーザユニット１１の本体部１１ａの下面との当接部位、具体的には各突出片の鉛直面とレーザユニット１１の当接面とが直交する部分にそれぞれ接着剤（好ましくは硬化時間が極めて短い瞬間接着剤）を塗布して、突起部１２にレーザユニット１１を固定する。
【００２８】
工程（４）：レーザ押さえバネ１５の複数の端子挿通孔にレーザユニット１１の各端子１１ｄを挿通させ、レーザ押さえバネ１５の両端に形成された孔部１８にビス１９をそれぞれ挿入し、この各ビス１９をハウジング１０に形成されたネジ孔２０に螺合する。そして、基板パターン樹脂（ＦＰＣ)２１の複数個の孔に各端子１１ｄを挿通させ、各孔周辺の導通ランドと各端子１１ａとをハンダ付けすることにより、レーザユニット１１がハウジング１０に高精度に位置調整された状態で頑強に固定される。
【００２９】
このように、本発明によれば、レーザユニット１１の光路長方向の空間調整を可能にするだけでなく、従来必要であった加工しずらいレーザホルダ（図６参照）が不要となる点を利点を有している。これによって、コリメートレンズへ照射されるレーザ光の精度が向上し、高密度光ディスク媒体へのより確実な記録が可能となる。また、レーザユニット１１の破損が防止でき、光学ピックアップ装置製造に際しての不良率、コスト低下を可能とすることができる。
【００３０】
［他の実施の形態］
１．上記実施の形態では、図２に示すように、ハウジング１０の凹部３０は底面３０ａを有する凹溝状の構造である場合を例示したが、光学部品を凹部に挿入して各突出片にて仮保持（挟持）し、位置調整した後に、下側の突出片と光学部品との当接部位に接着剤を容易に塗布できるように、例えば底面における下側の突出片の周囲に接着剤塗布用の窓部を形成したり、あるいは底面
を省略するようにしてもよい。
２．上記実施の形態では、ハウジング１０の凹部３０に、レーザ光を照射及び受光して検出するホログラムレーザユニット１１を取付ける場合を例示したが、レーザ光を照射のみする半導体レーザや、レーザ光を受光して検出のみす
る受光素子を凹部３０に取付けるようにしてもよい。
【００３１】
【発明の効果】
本発明によれば、ホログラムレーザユニット、半導体レーザ、受光素子等の光学部品をハウジングに取付けるに際して、弾性緩衝体を取付位置に設けたことにより光学部品のレーザ光照射側及び／又はレーザ光受光側の端部素子が弾性緩衝体にて保護され、ある程度の強度を有する金属やプラスチックからなるハウジングの壁部に端部素子が接触して破損することが防止される。このように、光学部品が弾性緩衝体により保護されて破損率が大幅に減少することと、従来必要であったレーザホルダが不要であり、加工しづらいレーザホルダの製作工程及び部品点数を削減できること、従来行われていたレーザホルダのハウジングへの取付け及び位置調整が省略されることにより、製造コストが大幅に低減すると共に、組立ての作業能率が向上する。
また、弾性緩衝体によって光路長方向への調整空間が確保されており、光学部品を光路長方向へ位置調整する際に弾性緩衝体の弾性変形によって光学部品の光路長方向への移動（微動）が可能であり高精度にかつ容易に位置調整を行うことができる。したがって、コリメートレンズへ照射されるレーザ光（拡散光）の精度及び／又はコリメートレンズからのレーザ光（集束光）の精度が向上し、高密度光デバイス媒体へのより確実な記録・再生が可能となる。
【図面の簡単な説明】
【図１】本発明の実施の形態の光学ピックアップ装置の要部平面図である。
【図２】同実施の形態におけるハウジングの要部斜視図である。
【図３】図１のＡ−Ａ線断面図である。
【図４】図１のＢ−Ｂ線断面図である。
【図５】同実施の形態における光学ピックアップ装置を分解した各部品を示す平面図である。
【図６】従来の光学ピックアップ装置を示す要部平面図である。
【符号の説明】
１０  ハウジング
３０  光学部品取付用凹部
Ｚ  光路長方向
Ｙ  上下方向
１２  仮保持部
１４  弾性緩衝体
３０ａ  底面
１６ａ、１６ｂ  取付段部
１１  ホログラムレーザユニット
１３ｂ  接着剤
【図１】
2004206801.tif 000003
【図２】
2004206801.tif 000004
【図３】
2004206801.tif 000005
【図４】
2004206801.tif 000006
【図５】
2004206801.tif 000007
【図６】
2004206801.tif 000008